(57)【要約】【課題】筐体の被覆部に液体がかかった場合でも、画像形成部などが濡れることを抑制できる画像形成装置を提供すること。【解決手段】プリンタ１に、上壁７１を有する本体ケーシング２と、画像形成部４と、液体通路９０とを備える。本体ケーシング２のケーシング本体５９に、画像形成部４に対して右方に配置されるフレーム６５を備え、上壁７１に、第１トレイ部８１および第２トレイ部８５を備える。液体通路９０に、第１トレイ部８１および第２トレイ部８５の隣接部分である隙間Ｃに対して下方に配置される凹部９５、および、凹部９５に案内される液体を排出する液体排出口９９を有する第１通路９１と、フレーム６５を左右方向に貫通する通過口１１０を有する第２通路９２とを備える。そして、第２通路９２は、第１通路９１からの液体をフレーム６５に対して左方から右方に通過させる。【選択図】図４
2015087654.tif 000002
【特許請求の範囲】
【請求項１】
筐体と、
前記筐体内に配置され、記録媒体に画像を形成するように構成される画像形成部と、
前記画像形成部に対して上方において前記筐体に支持される被覆部と、
前記筐体内に浸入した液体を案内するように構成される液体通路とを備え、
前記筐体は、
前記画像形成部に対して、鉛直方向と直交する直交方向の一方に配置されるフレームを備え、
前記被覆部は、
第１部材と、
前記第１部材と隣接配置される第２部材とを有し、
前記液体通路は、
前記フレームに対して前記直交方向の他方に配置され、前記第１部材と前記第２部材との隣接部分を介して前記筐体内に浸入する液体を受け、液体を前記フレームに向かって案内するように構成される第１通路と、
前記フレームに配置され、前記第１通路からの液体を受けるように構成される第２通路とを備え、
前記第１通路は、
前記第１部材と前記第２部材との隣接部分に対して下方に配置され、かつ、前記直交方向に延びる凹部と、
前記凹部の前記直交方向の一方端部に配置され、前記凹部に案内される液体を排出するように構成される液体排出口とを有し、
前記第２通路は、
前記フレームを前記直交方向に貫通する通過口であって、前記液体排出口から排出された液体を、前記フレームに対して前記直交方向の他方から前記直交方向の一方に通過させるように構成される通過口を有していることを特徴とする、画像形成装置。
【請求項２】
前記筐体は、
前記フレームに対して、前記直交方向の一方に隣接配置されるカバーを備え、
前記カバーは、
前記直交方向の他方側において、前記第２通路からの液体を受け、液体を前記筐体外に向かって案内するように構成される第３通路を備えていることを特徴とする、請求項１に記載の画像形成装置。
【請求項３】
前記第１通路は、
前記液体排出口から前記直交方向の一方に向かって延び、前記液体排出口と連通する延長部を有していることを特徴とする、請求項２に記載の画像形成装置。
【請求項４】
前記第１通路は、
前記延長部の下端部から下方に向かって突出し、液体が伝うように構成される突起を有していることを特徴とする、請求項３に記載の画像形成装置。
【請求項５】
前記第２通路は、
前記突起を伝って落下する液体を受けるように構成される液受部を有し、
前記液受部は、
前記フレームの前記直交方向の他方側において、前記突起に対して下方に配置され、
前記通過口と連通していることを特徴とする、請求項４に記載の画像形成装置。
【請求項６】
前記第２通路は、
前記フレームの前記直交方向の一方側に配置され、前記通過口を通過した液体を、前記第３通路に向かって案内するように構成される案内部を有し、
前記案内部は、
前記直交方向から見て、前記通過口を挟むように前記通過口の両側に配置される１対の第１案内壁と、
前記１対の第１案内壁に対して、前記案内部に案内される液体の流動方向の下流端部に配置され、前記１対の第１案内壁の前記流動方向の下流端部を連結する閉鎖部とを有していることを特徴とする、請求項５に記載の画像形成装置。
【請求項７】
前記第３通路は、
前記案内部と前記直交方向に向かい合い、前記直交方向に延びる突部と、
前記直交方向から見て、前記突部を挟むように前記突部の両側に配置される１対の第２案内壁とを備えていることを特徴とする、請求項６に記載の画像形成装置。
【請求項８】
前記突部は、
前記閉鎖部に対して前記直交方向の一方に隣接していることを特徴とする、請求項７に記載の画像形成装置。
【請求項９】
前記筐体内の空気を前記筐体外に排気するように構成されるダクトと、
前記ダクトにおいて前記直交方向の一方に配置され、前記ダクト内の空気を流動させるように構成されるファンとを備え、
前記ダクトと前記第１通路とは、一体であることを特徴とする、請求項７または８に記載の画像形成装置。
【請求項１０】
前記閉鎖部は、前記ファンよりも下方に配置されていることを特徴とする、請求項９に記載の画像形成装置。
【請求項１１】
前記画像形成部により画像が形成された記録媒体を、前記筐体外に排出するように構成される排出部を備え、
前記第１部材と前記第２部材とは、前記排出部から排出される記録媒体を支持するように構成されるトレイ部を構成し、
前記第１部材は、
前記第２部材に対して、前記排出部による記録媒体の排出方向の下流に配置され、
前記隣接部分は、
前記直交方向に延びる隙間を画定することを特徴とする、請求項１〜１０のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、筐体と、筐体内に配置され、記録紙にトナー像を形成するプロセスカートリッジと、記録紙上に形成されたトナー像を定着させる定着ユニットとを備えるレーザプリンタが知られている（たとえば、特許文献１参照。）。
【先行技術文献】
【特許文献】
【０００３】
【特許文献１】特開２００６−５３５０８号公報
【発明の概要】
【発明が解決しようとする課題】
【０００４】
しかるに、特許文献１に記載のレーザプリンタでは、ユーザが誤ってレーザプリンタの上方から液体をこぼしてしまった場合には、筐体の継ぎ目から、液体が筐体内に浸入する場合がある。
【０００５】
この場合、プロセスカートリッジや定着ユニットなどが、筐体内に浸入した液体により濡れ、電気的に短絡するなどして故障してしまうおそれがある。
【０００６】
そこで、本発明の目的は、筐体の被覆部に液体がかかった場合でも、画像形成部などが濡れることを抑制できる画像形成装置を提供することにある。
【課題を解決するための手段】
【０００７】
（１）上記した目的を達成するために、本発明の画像形成装置は、筐体と、筐体内に配置され、記録媒体に画像を形成するように構成される画像形成部と、画像形成部に対して上方において筐体に支持される被覆部と、筐体内に浸入した液体を案内するように構成される液体通路とを備えている。
【０００８】
筐体は、画像形成部に対して、鉛直方向と直交する直交方向の一方に配置されるフレームを備えている。被覆部は、第１部材と、第１部材と隣接配置される第２部材とを有している。
【０００９】
液体通路は、フレームに対して直交方向の他方に配置され、第１部材と第２部材との隣接部分を介して筐体内に浸入する液体を受け、液体をフレームに向かって案内するように構成される第１通路と、フレームに配置され、第１通路からの液体を受けるように構成される第２通路とを備えている。
【００１０】
第１通路は、第１部材と第２部材との隣接部分に対して下方に配置され、かつ、直交方向に延びる凹部と、凹部の直交方向の一方端部に配置され、凹部に案内される液体を排出するように構成される液体排出口とを有している。第２通路は、フレームを直交方向に貫通する通過口であって、液体排出口から排出された液体を、フレームに対して直交方向の他方から直交方向の一方に通過させるように構成される通過口を有している。
【００１１】
このような構成によれば、第１通路が、第１部材と第２部材との隣接部分に対して下方に配置される凹部を有しているので、液体が上方から被覆部にかかり、第１部材と第２部材との隣接部分を介して、液体が筐体内に浸入しても、その液体は凹部に受けられる。そして、液体は、凹部によりフレームに向かって案内された後、液体排出口を介しフレームに向かって排出される。その後、液体排出口から排出された液体は、フレームに配置される第２通路に受けられ、通過口を介して、フレームに対して、直交方向の他方から一方に案内される。
【００１２】
つまり、第１部材と第２部材との隣接部分から筐体内に浸入した液体は、まず、第１通路の凹部に受けられ、フレームに向かって流動した後、第２通路に受け渡され、通過口を介して、フレームに対して画像形成部の反対に案内される。
【００１３】
そのため、例え、第１部材と第２部材との隣接部分を介して、液体が筐体内に浸入しても、画像形成部などが液体により濡れることを確実に抑制できる。
（２）筐体は、フレームに対して、直交方向の一方に隣接配置されるカバーを備えていてもよい。この場合、カバーは、直交方向の他方側において、第２通路からの液体を受け、液体を筐体外に向かって案内するように構成される第３通路を備えている。
【００１４】
このような構成によれば、フレームに対して直交方向の一方に隣接配置されるカバーが、第３通路を備えているので、第２通路に案内される液体は、通過口を介して、フレームに対して画像形成部の反対に案内された後、第３通路に受け渡される。そして、第３通路は、第２通路から受けた液体を、筐体外に向かって案内する。
【００１５】
そのため、第１部材と第２部材との隣接部分から筐体内に浸入した液体を、第１通路、第２通路および第３通路を介して、筐体外に排出できる。その結果、画像形成部などが濡れることを確実に抑制できる。
（３）第１通路は、液体排出口から直交方向の一方に向かって延び、液体排出口と連通する延長部を有していてもよい。
【００１６】
このような構成によれば、液体排出口から排出された液体は、延長部によって、直交方向の一方、すなわちフレームに向かって案内される。そのため、液体排出口から排出された液体を、フレームに配置される第２通路に確実に受け渡すことができる。
（４）第１通路は、延長部の下端部から下方に向かって突出し、液体が伝うように構成される突起を有していてもよい。
【００１７】
このような構成によれば、液体排出口から排出された液体は、延長部を通過した後、突起を伝って、延長部から落下する。そのため、液体排出口から排出された液体を、第２通路に向かって確実に案内することができる。
（５）第２通路は、突起を伝って落下する液体を受けるように構成される液受部を有していてもよい。この場合、液受部は、フレームの直交方向の他方側において、突起に対して下方に配置され、通過口と連通している。
【００１８】
このような構成によれば、液受部が突起に対して下方に配置されているので、液受部は、突起を伝って落下する液体を確実に受けることができる。そして、液受部は、通過口と連通しているので、受けた液体を通過口に向かって確実に案内することができる。
（６）第２通路は、フレームの直交方向の一方側に配置され、通過口を通過した液体を、第３通路に向かって案内するように構成される案内部を有していてもよい。この場合、案内部は、直交方向から見て、通過口を挟むように通過口の両側に配置される１対の第１案内壁と、１対の第１案内壁に対して、案内部に案内される液体の流動方向の下流端部に配置され、１対の第１案内壁の流動方向の下流端部を連結する閉鎖部とを有している。
【００１９】
このような構成によれば、第２通路が１対の第１案内壁を有しているので、通過口を通過した液体は、フレームの直交方向の一方側において、１対の第１案内壁により所定の位置まで案内される。その後、液体は、１対の第１案内壁の流動方向の下流端部を連結する閉鎖部により、液体の移動方向が変更され、第３通路に受け渡される。
【００２０】
そのため、通過口を通過した液体を、フレームの直交方向の一方側において、確実に案内することができながら、案内部から第３通路に液体を確実に受け渡すことができる。
（７）第３通路は、案内部と直交方向に向かい合い、直交方向に延びる突部と、直交方向から見て、突部を挟むように突部の両側に配置される１対の第２案内壁とを備えていてもよい。
【００２１】
このような構成によれば、突部が案内部と直交方向に向かい合うので、案内部により案内される液体は、突部を伝って、案内部から第３通路に受け渡される。その後、液体は、１対の第２案内壁により、カバーの直交方向の他方側において、筐体外に向かって案内される。
【００２２】
そのため、案内部から第３通路に液体を安定して受け渡すことができながら、液体を筐体外に向かって確実に案内できる。
（８）突部は、閉鎖部に対して直交方向の一方に隣接してもよい。
【００２３】
このような構成によれば、突部が閉鎖部に対して直交方向の一方に隣接するので、閉鎖部により流動方向が変更された液体は、突部を伝って、案内部から第３通路により安定して受け渡される。そのため、案内部から第３通路に液体をより安定して受け渡すことができる。
（９）画像形成装置は、筐体内の空気を筐体外に排気するように構成されるダクトと、ダクトにおいて直交方向の一方に配置され、ダクト内の空気を流動させるように構成されるファンとを備えていてもよい。この場合、ダクトと第１通路とは、一体である。
【００２４】
このような構成によれば、画像形成装置がダクトとファンとを備えているので、ファンを駆動することにより、ダクトを介して、筐体内の空気を筐体外に排気することができる。そのため、画像形成装置を効率的に放熱できる。
【００２５】
また、ダクトと第１通路とが一体であるので、ダクトと第１通路とが別部材である場合と比較して、部品点数の低減を図ることができる。
（１０）閉鎖部は、ファンよりも下方に配置されていてもよい。
【００２６】
このような構成によれば、閉鎖部により流動方向が変更された液体が、ファンの駆動による空気の流動の影響を受けることを抑制できる。そのため、閉鎖部から第３通路に液体を、より一層安定して受け渡すことができる。
（１１）画像形成装置は、画像形成部により画像が形成された記録媒体を、筐体外に排出するように構成される排出部を備えていてもよい。第１部材と第２部材とは、排出部から排出される記録媒体を支持するように構成されるトレイ部を構成していてもよい。この場合、第１部材は、第２部材に対して、排出部による記録媒体の排出方向の下流に配置され、隣接部分は、直交方向に延びる隙間を画定する。
【００２７】
このような構成によれば、排出部から排出される記録媒体を支持するトレイ部が、画像形成部に対して上方において筐体に支持されているので、排出部から排出される記録媒体に対して容易にアクセスすることができる。
【発明の効果】
【００２８】
本発明の画像形成装置によれば、筐体の被覆部に液体がかかった場合でも、画像形成部などが濡れることを抑制できる。
【図面の簡単な説明】
【００２９】
【図１】図１は、本発明の画像形成装置の一実施形態としてのプリンタの中央断面図を示す。
【図２】図２Ａは、図１に示すプリンタを左上方から見た斜視図を示す。図２Ｂは、図２Ａに示すプリンタの平面図を示す。
【図３】図３は、図２Ｂに示すプリンタのＡ−Ａ断面図である。
【図４】図４は、図２Ｂに示すプリンタのＢ−Ｂ断面図である。
【図５】図５は、図２Ａに示すプリンタを右後から見た斜視図であって、サイドカバーを除いた状態を示す。
【図６】図６は、図４に示すサイドカバーを左後から見た斜視図を示す。
【図７】図７は、図３に示すダクト部材を左前から見た斜視図を示す。
【図８】図８は、図７に示すダクト部材を右前から見た斜視図を示す。
【発明を実施するための形態】
【００３０】
１．プリンタの全体構成
図１に示すように、画像形成装置の一例としてのプリンタ１は、ダイレクトタンデム型カラーレーザプリンタである。プリンタ１は、本体ケーシング２と、給紙部３と、画像形成部４と、排出部の一例としての排紙部５とを備えている。
【００３１】
本体ケーシング２は、略ボックス形状を有しており、給紙部３、画像形成部４および排紙部５を収容している。
【００３２】
なお、以下の説明において、プリンタ１の方向に言及するときには、プリンタ１を水平に載置した状態を上下の基準とする。すなわち、図１の紙面上方が上方であり、紙面下方が下方である。また、図１の紙面右方が前方であり、図１の紙面左方が後方である。また、プリンタ１を前方から見たときを左右の基準とする。すなわち、図１の紙面手前が左方であり、紙面奥が右方である。つまり、前後方向および左右方向のそれぞれが水平方向であり、上下方向が鉛直方向である。なお、具体的には、各図において方向を矢印にて示す。また、左右方向が直交方向の一例であり、右方が直交方向の一方、左方が直交方向の他方である。また、後方から前方に向かう方向が、記録媒体の排出方向Ｘの一例である。
【００３３】
本体ケーシング２は、本体開口部９と、フロントカバー１０と、トレイ部の一例としての排紙トレイ１１を備えている。本体開口部９は、本体ケーシング２の前端部に配置されており、本体ケーシング２の前壁を前後方向に貫通している。フロントカバー１０は、その下端部を支点として、本体開口部９を開閉するように揺動可能に構成されている。排紙トレイ１１は、本体ケーシング２の上壁７１の後方部分に配置されている。排紙トレイ１１は、記録媒体の一例としての用紙Ｐが載置されるように、本体ケーシング２の上面から下方へ凹んでいる。
【００３４】
給紙部３は、用紙Ｐを画像形成部４に向けて搬送するように構成されている。給紙部３は、給紙トレイ１２を備えている。給紙トレイ１２は、用紙Ｐを載置して収容し、本体ケーシング２内の底部に着脱可能に装着されている。
【００３５】
画像形成部４は、用紙Ｐに画像を形成するように構成されており、スキャナユニット２０と、プロセスユニット２１と、転写ユニット２２と、定着ユニット２３とを備えている。
【００３６】
スキャナユニット２０は、本体ケーシング２内の上部に配置されている。スキャナユニット２０は、後述する複数の感光ドラム２８のそれぞれに向けて、画像データに基づいて、レーザービームをそれぞれ出射し、後述する感光ドラム２８を露光する。
【００３７】
プロセスユニット２１は、本体ケーシング２内の上下方向略中央であって、スキャナユニット２０の下方に配置されている。プロセスユニット２１は、前後方向にスライド可能であり、本体開口部９を介して本体ケーシング２外に引き出し可能に構成されている。プロセスユニット２１は、ドロワユニット２７と、現像カートリッジ３０とを備えている。
【００３８】
ドロワユニット２７は、感光ドラム２８と、スコロトロン型帯電器２９とを備えている。
【００３９】
感光ドラム２８は、複数色に対応して複数備えられており、前後方向に互いに間隔を隔てて並列配置されている。具体的には、感光ドラム２８は、イエロー、マゼンタ、シアンおよびブラックの４色に対応して４つ備えられており、ドロワユニット２７の前方から後方に向かって、順次配列されている。感光ドラム２８は、左右方向に長手の略円筒形状を有し、ドロワユニット２７の下端部において、下方から露出されるように回転可能に支持されている。
【００４０】
スコロトロン型帯電器２９は、複数の感光ドラム２８のそれぞれに対応して、複数、具体的には４つ備えられている。スコロトロン型帯電器２９は、対応する感光ドラム２８に対して後上方に間隔を隔てて配置されている。
【００４１】
現像カートリッジ３０は、複数の感光ドラム２８のそれぞれに対応して、複数、具体的には４つ備えられている。現像カートリッジ３０は、対応する感光ドラム２８の前上方において、ドロワユニット２７に離脱可能に装着されている。現像カートリッジ３０は、現像ローラ３１と、供給ローラ３２と、層厚規制ブレード３３とを備えている。
【００４２】
現像ローラ３１は、現像カートリッジ３０の下端部に配置されており、現像ローラ３１の後下方部分は、現像カートリッジ３０から露出している。そして、現像ローラ３１の後下端部は、感光ドラム２８の前上端部に対して接触している。供給ローラ３２は、現像ローラ３１に対して前上方に配置されており、供給ローラ３２の後下端部は現像ローラ３１の前上端部に接触している。層厚規制ブレード３３は、現像ローラ３１に対して上方に配置されており、現像ローラ３１の上端部に対して接触している。また、現像カートリッジ３０は、供給ローラ３２の上方の空間に、各色に対応するトナーを収容している。
【００４３】
転写ユニット２２は、上下方向において、給紙トレイ１２とプロセスユニット２１との間に配置されており、前後方向に延びている。転写ユニット２２は、駆動ローラ３７と、従動ローラ３８と、搬送ベルト３９と、転写ローラ４１とを備えている。駆動ローラ３７および従動ローラ３８は、前後方向に互いに間隔を隔てて配置されている。搬送ベルト３９は、駆動ローラ３７および従動ローラ３８の周りに巻回されている。転写ローラ４１は、４つの感光ドラム２８のそれぞれに対応して、４つ備えられており、対応する感光ドラム２８と搬送ベルト３９の上方部分を挟むように、対応する感光ドラム２８の下方に配置されている。
【００４４】
定着ユニット２３は、転写ユニット２２の後方に間隔を空けて位置している。定着ユニット２３は、加熱ローラ４３と、加圧ローラ４４とを備えている。加圧ローラ４４の前上端部は、加熱ローラ４３の後下端部に対して圧接している。
【００４５】
排紙部５は、画像形成部４により画像が形成された用紙Ｐを本体ケーシング２外に排出するように構成されている。排紙部５は、定着ユニット２３に対して上方に配置されており、排紙ローラ５０を備えている。
【００４６】
排紙ローラ５０は、排紙トレイ１１の後方に配置されており、本体ケーシング２に回転可能に支持されている。
【００４７】
このようなプリンタ１において、図示しない制御部の制御により、画像形成動作が開始されると、スコロトロン型帯電器２９は、感光ドラム２８の表面を一様に帯電する。その後、スキャナユニット２０が、所定の画像データに基づいて、帯電された感光ドラム２８の表面を露光する。これによって、感光ドラム２８の表面には、画像データに基づく静電潜像が形成される。
【００４８】
また、現像カートリッジ３０内のトナーは、供給ローラ３２に供給される。そして、供給ローラ３２は、トナーを現像ローラ３１に供給する。そして、供給ローラ３２と現像ローラ３１とは、それらの間でトナーを正極性に摩擦帯電する。次いで、層厚規制ブレード３３は、現像ローラ３１に供給されたトナーを一定の厚みに規制する。そして、現像ローラ３１は、回転することにより、担持するトナーを、感光ドラム２８の周面上の静電潜像に供給する。これにより、感光ドラム２８の周面上にトナー像が担持される。
【００４９】
一方、給紙トレイ１２に収容される用紙Ｐは、給紙トレイ１２から各種ローラの回転により、所定のタイミングで１枚ずつ、感光ドラム２８と搬送ベルト３９との間に供給される。次いで、搬送ベルト３９は、感光ドラム２８と搬送ベルト３９との間に給紙された用紙Ｐを、前方から後方に向かって搬送する。このとき、感光ドラム２８および転写ローラ４１は、それらの間を通過する用紙Ｐに、各色のトナー像を順次転写する。これによって、用紙Ｐにカラー画像が形成される。
【００５０】
次いで、カラー画像が形成された用紙Ｐは、搬送ベルト３９の周回移動により、加熱ローラ４３と加圧ローラ４４との間に到達する。加熱ローラ４３および加圧ローラ４４は、それらの間を通過する用紙Ｐを加熱および加圧する。これにより、用紙Ｐに転写されたカラー画像は、用紙Ｐに熱定着される。その後、用紙Ｐは、排紙ローラ５０により、後述する排出口８４を介して、排出方向Ｘに沿って排紙トレイ１１に排紙される。排紙された用紙Ｐは、排紙トレイ１１の後述する用紙載置部７３の上面にスタックされ支持される。
２．本体ケーシングの詳細
本体ケーシング２は、図１、図２Ａおよび図２Ｂに示すように、筐体の一例としてのケーシング本体５９と、トップカバー６３とを備えている。
【００５１】
ケーシング本体５９は、上方に向かって開放される略ボックス形状を有しており、右側壁６０と、左側壁６１と、後壁６２とを備えている。
【００５２】
右側壁６０は、図１に示すように、ケーシング本体５９の右端部であって、画像形成部４に対して右方に配置されている。右側壁６０は、前後方向に延びる側面視略矩形状を有している。
【００５３】
右側壁６０は、図４に示すように、フレーム６５と、カバーの一例としてのサイドカバー６６とを備えている。
【００５４】
フレーム６５は、右側壁６０の左方部分であり、画像形成部４に対して右方に配置されている。フレーム６５は、図３および図５に示すように、公知の樹脂材料からなり、前後方向に延びる側面視略矩形の板状を有している。フレーム６５は、貫通口６７と、ファン支持部６８とを有している。
【００５５】
貫通口６７は、図３に示すように、後述するファン８８に対応しており、フレーム６５の上方部分における後端部に配置されている。貫通口６７は、側面視略円形状を有しており、フレーム６５を左右方向に貫通している。
【００５６】
ファン支持部６８は、図５に示すように、フレーム６５の右面において、貫通口６７を囲むように配置されている。ファン支持部６８は、左右方向に延びる略角筒形状を有しており、フレーム６５の右面から右方に向かって突出している。なお、ファン支持部６８の前壁１１７は、後述する第１案内壁１１７として構成されている。
【００５７】
さらに、フレーム６５は、後で詳述するが、第２通路９２を一体に有している。
【００５８】
サイドカバー６６は、図４に示すように、右側壁６０の右方部分であり、サイドカバー６６の右方に隣接配置されている。サイドカバー６６は、フレーム６５を右方から被覆している。サイドカバー６６は、公知の樹脂材料からなり、側面視において、フレーム６５と略同一形状およびサイズを有する板状である。
【００５９】
また、サイドカバー６６の下端部は、図６に示すように、フレーム６５の下端部を被覆するように、下方に向かうにつれて左方に湾曲している。
【００６０】
また、サイドカバー６６は、図４〜図６に示すように、通気口６９と、切欠溝７０とを有している。通気口６９は、貫通口６７と左右方向に間隔を空けて向かい合うように、サイドカバー６６の上方部分における後端部に配置されている。通気口６９は、格子状に配置される複数の開口から構成されている。
【００６１】
さらに、後で詳述するが、サイドカバー６６は、第３通路９３を一体に有している。
【００６２】
左側壁６１は、図４に示すように、ケーシング本体５９の左端部であって、右側壁６０と画像形成部４を挟むように、画像形成部４に対して左方に配置されている。左側壁６１は、図２Ａに示すように、前後方向に延びる側面視略矩形状を有している。
【００６３】
後壁６２は、図１に示すように、本体ケーシング２の後端部であって、画像形成部４に対して後方に配置されている。そして、後壁６２は、右側壁６０の後端部と、左側壁６１の後端部とを左右方向に連結している。
【００６４】
なお、図２Ａに示すように、右側壁６０の前端部の上方部分と、左側壁６１の前端部の上方部分との間には、フロントカバー１０が配置されている。
【００６５】
トップカバー６３は、図１、図２Ａおよび図２Ｂに示すように、本体ケーシング２の上端部に配置されており、画像形成部４に対して上方に配置されている。
【００６６】
トップカバー６３は、図２Ａおよび図２Ｂに示すように、平板部８０と、第１部材の一例としての第１トレイ部８１とを一体に有している。
【００６７】
平板部８０は、平面視略矩形の板状を有している。
【００６８】
第１トレイ部８１は、平面視において平板部８０の後方部分の左右方向略中央に配置されており、平板部８０の上面から下方に向かって凹んでいる。
【００６９】
第１トレイ部８１は、用紙載置部７３と、１対の第１トレイ側壁７４とを備えている。
【００７０】
用紙載置部７３は、第１トレイ部８１の底部であって、図２Ｂに示すように、左右方向に延びる平面視略矩形の板状を有しており、図３に示すように、本体部７６と、突出部７７とを一体に有している。
【００７１】
本体部７６は、平板部８０から連続して、後方に向かうにつれて下方に傾斜するように延びている。突出部７７は、本体部７６の後端部から連続して、下方に向かって突出しており、本体部７６の左右方向全体にわたって延びている。
【００７２】
１対の第１トレイ側壁７４のそれぞれは、図２Ａに示すように、本体部７６の左右両端部のそれぞれと、平板部８０の下面とを上下方向に連結している。これによって、１対の第１トレイ側壁７４は、左右方向に互いに間隔を空けて向い合っている。第１トレイ側壁７４は、前方に向かう頂部を有する側面視略三角形の板状を有している。
【００７３】
そして、トップカバー６３は、図２Ａおよび図３に示すように、右側壁６０、左側壁６１および後壁６２の上面を上方から被覆するように、ケーシング本体５９の上端部に固定されている。なお、トップカバー６３は、画像形成部４のメンテナンス時などにおいて、ケーシング本体５９から離脱可能に構成されている。
３．ダクトユニットおよびファン
プリンタ１は、図３に示すように、ダクトユニット６４と、ファン８８とをさらに備えている。
【００７４】
ダクトユニット６４は、図１に示すように、本体ケーシング２内において、定着ユニット２３の前上方かつプロセスユニット２１の後上方に配置されている。
【００７５】
ダクトユニット６４は、図７および図８に示すように、ダクトの一例としてのダクト本体８６と、オゾンフィルタ１０７と、第２部材の一例としての第２トレイ部８５と、１対のローラ支持部８７とを一体に有している。
【００７６】
ダクト本体８６は、左右方向に延びる略ボックス形状であり、フィルタ開口部１０８と、ファン開口部１０９とを有している。
【００７７】
フィルタ開口部１０８は、図７に示すように、ダクト本体８６の前壁において、左右方向に並ぶように、複数、具体的には３つ配置されている。フィルタ開口部１０８は、正面視略矩形状であり、ダクト本体８６の前壁を前後方向に貫通している。
【００７８】
ファン開口部１０９は、図８に示すように、ダクト本体８６の右壁に配置されている。ファン開口部１０９は、側面視略円形状であり、ダクト本体８６の右壁を左右方向に貫通している。
【００７９】
オゾンフィルタ１０７は、空気の通過を許容するように構成されており、オゾンフィルタ１０７を通過する空気に含まれるＶＯＣ（揮発性有機化合物）を捕捉し、オゾンを分解・除去するように構成されている。オゾンフィルタ１０７は、３つのフィルタ開口部１０８のそれぞれに対応して３つ備えられている。
【００８０】
オゾンフィルタ１０７は、正面視略矩形の板状である。そして、オゾンフィルタ１０７は、対応するフィルタ開口部１０８の後方に位置するように、ダクト本体８６内の前端部に配置されている。これによって、各オゾンフィルタ１０７の前面は、対応するフィルタ開口部１０８を介してダクト本体８６から露出している。
【００８１】
第２トレイ部８５は、図３に示すように、ダクト本体８６に対して前上方に配置されている。第２トレイ部８５は、鉛直部８３と、傾斜部８２と、１対の第２トレイ側壁８９とを有している。
【００８２】
鉛直部８３は、図７に示すように、左右方向に延びる正面視略矩形の板状を有しており、図３に示すように、ダクト本体８６の上面における前方部分から上方に向かって延びている。
【００８３】
傾斜部８２は、鉛直部８３の下端部から連続して、前方に向かうにつれて上方に傾斜するように延びている。
【００８４】
１対の第２トレイ側壁８９のそれぞれは、図７および図８に示すように、傾斜部８２の上面における左右方向の端部から上方に向かって延びており、上下方向に延びる側面視略矩形の板状を有している。１対の第２トレイ側壁８９は、左右方向に互いに間隔を空けて向い合っている。また、第２トレイ側壁８９の後端部は、鉛直部８３の前面における左右方向の端部に接続されている。
【００８５】
１対のローラ支持部８７は、ダクト本体８６の上面において、第２トレイ部８５の後方に配置されている。１対のローラ支持部８７は、左右方向に互いに間隔を空けて向い合っている。ローラ支持部８７は、側面視略矩形の板状を有しており、ダクト本体８６の上面から上方に向かって延びている。そして、１対のローラ支持部８７は、排紙ローラ５０の左右両端部を回転可能に支持している。これにより、排紙ローラ５０は、ダクトユニット６４に支持されている。
【００８６】
さらに、後で詳述するが、ダクトユニット６４は、第１通路９１を一体に有している。
【００８７】
そして、ダクトユニット６４は、図３に示すように、第２トレイ部８５の傾斜部８２の前端縁が、第１トレイ部８１の本体部７６の後端縁に対して、後下方に僅かな間隔を空けて隣接し、かつ、第２トレイ部８５の鉛直部８３の上端部が、トップカバー６３の平板部８０の下面に対して下方に間隔を空けて向い合うように、ケーシング本体５９内の後上方部分に配置されている。なお、ダクトユニット６４の左右両端部は、右側壁６０および左側壁６１のそれぞれに支持されている。
【００８８】
これによって、図２Ａおよび図２Ｂに示すように、第１トレイ部８１の本体部７６と、第２トレイ部８５の傾斜部８２との隣接部分は、左右方向に延びる隙間Ｃを画定している。つまり、隙間Ｃは、用紙Ｐの排出方向Ｘと直交するように延びている。また、第１トレイ部８１の鉛直部８３の上端部と、トップカバー６３の平板部８０の下面との間の領域が、図３に示すように、排出口８４として画定されている。
【００８９】
また、１対の第２トレイ側壁８９のそれぞれは、対応する第１トレイ側壁７４の後方に隣接されている。これによって、第２トレイ部８５が、第１トレイ部８１に対して、用紙Ｐの排出方向Ｘの上流に配置され、第１トレイ部８１と第２トレイ部８５とが、排紙トレイ１１を構成している。
【００９０】
また、トップカバー６３と第２トレイ部８５とが、被覆部の一例としての本体ケーシング２の上壁７１を構成する。
【００９１】
なお、図示しないが、ファン開口部１０９は、フレーム６５の貫通口６７と左右方向に向かい合っている。
【００９２】
ファン８８は、図４および図５に示すように、ファン支持部６８内に配置されており、貫通口６７と通気口６９との左右方向の間に位置している。これにより、ファン８８は、ダクト本体８６に対して、右方に配置されている。
【００９３】
そして、ファン８８は、駆動すると、図５、図６および図８に示すように、ダクト本体８６内の空気を、フレーム６５の貫通口６７およびダクト本体８６のファン開口部１０９を介して吸引するとともに、その空気をサイドカバー６６の通気口６９を介して本体ケーシング２外に排出する。すると、本体ケーシング２内の空気が、オゾンフィルタ１０７およびフィルタ開口部１０８を介して、ダクト本体８６内に取り込まれる。これによって、本体ケーシング２内の空気が流動し、ダクト本体８６を介して、本体ケーシング２外に排気される。つまり、ダクト本体８６は、本体ケーシング２内の空気を本体ケーシング２外に排気するように構成されている。
４．液体排出通路
プリンタ１は、図４に示すように、液体通路９０を備えている。
【００９４】
液体通路９０は、隙間Ｃから本体ケーシング２内に浸入する液体を本体ケーシング２外に排出するように構成されている。
【００９５】
液体通路９０は、受部の一例としての第１通路９１と、第２通路９２と、第３通路９３とを備えている。
（１）第１通路
第１通路９１は、液体通路９０のうち液体の流動方向の上流部分であって、隙間Ｃを介して本体ケーシング２内に浸入する液体を受け、液体をフレーム６５に向かって案内するように構成されている。
【００９６】
第１通路９１は、図７および図８に示すように、ダクトユニット６４に一体として備えられており、図３に示すように、ダクト本体８６および第２トレイ部８５に対して排出方向Ｘ、具体的には、ダクト本体８６に対して前上方、かつ、第２トレイ部８５に対して前方に隣接配置されている、また、第１通路９１は、用紙載置部７３の本体部７６の後方部分に対して下方に配置されており、図４に示すように、フレーム６５に対して左方に配置されている。
【００９７】
第１通路９１は、図３に示すように、凹部９５と、延長部９６と、突起９７と、貯留部９８とを一体に有している。
【００９８】
凹部９５は、隙間Ｃに対して下方に配置されている。凹部９５は、上方に向かって開放される凹形状を有しており、図７に示すように、左右方向に延びている。また、凹部９５は、図３に示すように、第１壁の一例としての第１凹部壁１０５と、第２壁の一例としての第２凹部壁１０６と、底壁の一例としての凹部底壁１０４とを有している。
【００９９】
第１凹部壁１０５は、凹部９５の後端部であって、第２トレイ部８５の傾斜部８２の前端部から連続して下方に向かって延びている。これによって、第１凹部壁１０５は、第１トレイ部８１の突出部７７に対して排出方向Ｘの上流すなわち後方に間隔を空けて配置され、突出部７７と前後方向に向かい合っている。
【０１００】
また、第１凹部壁１０５は、図４に示すように、右方に向かうにつれて幅広となる正面視略台形の板状を有している。詳しくは、第１凹部壁１０５の上端縁は、左右方向に延びており、第１凹部壁１０５の下端縁は、左下方および右上方を結ぶ方向に延びている。なお、第１凹部壁１０５の下端縁は、突出部７７の下端縁よりも下方に位置している。
【０１０１】
第２凹部壁１０６は、図３に示すように、凹部９５の前端部であって、突出部７７に対して排出方向Ｘの下流すなわち前方に間隔を空けて配置され、突出部７７と前後方向に向かい合っている。また、第２凹部壁１０６は、第１凹部壁１０５と同一形状およびサイズを有しており、前後方向から見て、第１凹部壁１０５と一致している。
【０１０２】
また、第２凹部壁１０６は、図７に示すように、連通部の一例としての連通溝１００を有している。連通溝１００は、第２凹部壁１０６の上端部における右端部に配置されており、より具体的には、第２凹部壁１０６の右端縁から、第２凹部壁１０６の左右方向の寸法に対して、略１／６の位置に配置されている。つまり、連通溝１００は、凹部９５において右方部分に配置されている。連通溝１００は、正面視略矩形状を有しており、第２凹部壁１０６の上端縁から下方に向かって凹んでいる。
【０１０３】
凹部底壁１０４は、図３に示すように、凹部９５の下端部であって、第１凹部壁１０５の下端部と第２凹部壁１０６の下端部との間に架設されている。これによって、凹部底壁１０４は、突出部７７に対して下方に間隔を空けて配置されており、上下方向に向かい合っている。つまり、突出部７７は、凹部９５の凹部底壁１０４に向けて突出しており、凹部９５内に配置されている。
【０１０４】
また、凹部底壁１０４は、図４に示すように、左上方および右下方を結ぶ方向に延びている。つまり、凹部底壁１０４は、左方から右方に向かうにつれて下方に傾斜している。
【０１０５】
また、凹部９５の左端部は閉鎖されている一方、凹部９５の右端部は開放されている。
【０１０６】
凹部９５の右端部、具体的には、第１凹部壁１０５の右端縁、第２凹部壁１０６の右端縁および凹部底壁１０４の右端縁は、液体排出口９９を画定している。つまり、凹部底壁１０４は、液体排出口９９に向かうにつれて低くなるように傾斜している。
【０１０７】
また、液体排出口９９は、凹部９５の右端部に配置されており、画像形成部４よりも右方に位置している。液体排出口９９は、上方に向かって開放される側面視略Ｕ字状を有している。
【０１０８】
延長部９６は、凹部９５の右方に隣接配置されている。延長部９６は、図８に示すように、上方に向かって開放される側面視略凹形状を有しており、凹部９５の右端部から連続して右方に向かって延びている。
【０１０９】
また、延長部９６は、図４に示すように、延長部９６の下端部である延長部底壁１０３を有している。延長部底壁１０３は、凹部９５の凹部底壁１０４の右端部から連続して、右下方に向かって延びており、凹部底壁１０４と同一の傾斜を有している。そのため、延長部底壁１０３の上面と、凹部底壁１０４の上面とは略面一である。
【０１１０】
また、延長部９６の内部空間は、液体排出口９９と左右方向に連通しており、液体排出口９９を介して、凹部９５の内部空間と連通している。
【０１１１】
突起９７は、図８に示すように、延長部底壁１０３の右端部から連続して、下方に向かって突出している。突起９７は、下方に向かうにつれて幅狭となる側面視略台形の板状を有している。
【０１１２】
貯留部９８は、凹部９５の前方に隣接配置されている。貯留部９８は、図３に示すように、上方に向かって開放される略ボックス形状を有している。そして、貯留部９８の後壁の上端部は、凹部底壁１０４の下面の前端部に接続されている。
【０１１３】
また、貯留部９８の前壁は、貯留部９８の後壁よりも上下方向の寸法が大きい。そのため、貯留部９８の前壁の上方部分は、第２凹部壁１０６の前方に間隔を開けて配置されており、第２凹部壁１０６と前後方向に向かい合っている。そのため、第２凹部壁１０６の前面は、図７に示すように、貯留部９８の内部空間に臨んでおり、連通溝１００は、凹部９５の内部空間と、貯留部９８の内部空間とを前後方向に連通している。
【０１１４】
また、貯留部９８は、図８に示すように、第１貯留部１０１と、第２貯留部１０２とを有している。
【０１１５】
第１貯留部１０１は、貯留部９８の右方部分であって、連通溝１００を介して、凹部９５の内部空間と連通している。
【０１１６】
第２貯留部１０２は、貯留部９８の左方部分であって、第１貯留部１０１に対して左方に隣接されている。また、第２貯留部１０２は、第１貯留部１０１と左右方向に連通している。そして、第２貯留部１０２の上下方向の寸法は、第１貯留部１０１の上下方向の寸法よりも大きい。
（２）第２通路
第２通路９２は、図４に示すように、液体通路９０のうち、液体の流動方向の途中部であって、第１通路９１からの液体を受け、その液体を第３通路９３に向かって案内するように構成されている。
【０１１７】
第２通路９２は、図４および図５に示すように、フレーム６５に備えられており、通過口１１０と、液受部１１１と、案内部１１２とを有している。
【０１１８】
通過口１１０は、図５に示すように、貫通口６７の前方に配置されている。通過口１１０は、側面視略矩形状を有しており、フレーム６５を左右方向に貫通している。
【０１１９】
液受部１１１は、図４に示すように、フレーム６５の左面に配置されており、突起９７に対して下方に配置されている。また、液受部１１１は、通過口１１０の下方周縁から左方に向かって突出している。具体的には、液受部１１１は、受壁１１３と、１対の連結壁１１４とを一体に有している。
【０１２０】
受壁１１３は、液受部１１１の下端部である。受壁１１３は、側面視略Ｌ字の板状を有しており、通過口１１０の下端縁から左方に向かって延びた後、屈曲して上方に向かって延びている。
【０１２１】
１対の連結壁１１４は、液受部１１１の前後両端部であって、前後方向に互いに間隔を空けて配置されている。連結壁１１４は、側面視略矩形の板状を有している。そして、連結壁１１４の前後方向の内面における下端部および左端部は、受壁１１３の前後方向の端部に接続され、連結壁１１４の右端部は、通過口１１０の周縁に接続されている。
【０１２２】
これによって、通過口１１０の下方部分と、液受部１１１とは、左右方向に連通している。
【０１２３】
案内部１１２は、図５に示すように、フレーム６５の右面に配置されており、ファン支持部６８の前方に隣接されている。案内部１１２は、１対の第１案内壁１１７と、閉鎖部の一例としての閉鎖壁１１８とを有している。
【０１２４】
１対の第１案内壁１１７は、右方から見て、通過口１１０を挟むように、通過口１１０の前後両方に１つずつ配置されている。１対の第１案内壁１１７のそれぞれは、フレーム６５の右面から右方に向かって突出しており、前後方向に互いに間隔を空けて向い合っている。
【０１２５】
１対の第１案内壁１１７のうち、前方の第１案内壁１１７Ｆは、直線部１１９と、傾斜部１２０とを一体に有している。
【０１２６】
直線部１１９は、側面視において、上下方向に沿って直線状に延びており、直線部１１９の上端部が、通過口１１０の前方に位置している。
【０１２７】
傾斜部１２０は、直線部１１９の下端部から連続して、下方に向かうにつれて後方に傾斜している。なお、図示しないが、フレーム６５の右面において、前方の第１案内壁１１７Ｆの前方には、画像形成部４に電力を供給するための電圧基板が配置されている。そのため、傾斜部１２０は、図示しない電圧基板から離れるように傾斜している。
【０１２８】
１対の第１案内壁１１７のうち、後方の第１案内壁１１７Ｒは、上記のファン支持部６８の前壁であって、側面視において上下方向に沿って直線状に延びている。また、後方の第１案内壁１１７Ｒの上端部が、側面視において、通過口１１０の後方に位置している。また、後方の第１案内壁１１７Ｒの上下方向の寸法は、直線部１１９の上下方向の寸法と略同じである。
【０１２９】
閉鎖壁１１８は、１対の第１案内壁１１７に対して、下方に隣接配置されている。つまり、閉鎖壁１１８は、ファン支持部６８よりも下方に配置されており、ひいては、ファン８８よりも下方に配置されている。
【０１３０】
閉鎖壁１１８は、上方に向かって開放される側面視略Ｕ字状を有しており、フレーム６５の右面から右方に向かって突出している。
【０１３１】
また、閉鎖壁１１８の左右方向の寸法は、図４に示すように、１対の第１案内壁１１７のそれぞれの左右方向の寸法よりも大きい。そのため、閉鎖壁１１８の右方部分は、１対の第１案内壁１１７のそれぞれよりも右方に突出している。
【０１３２】
そして、閉鎖壁１１８の前壁の上端縁における左方部分は、図５に示すように、前方の第１案内壁１１７Ｆの傾斜部１２０の下端部に接続され、閉鎖壁１１８の後壁の上端縁における左方部分は、後方の第１案内壁１１７Ｒの下端部に接続されている。これによって、閉鎖壁１１８は、１対の第１案内壁１１７のそれぞれの下端部を連結している。
（３）第３通路
第３通路９３は、図４および図６に示すように、液体通路９０のうち液体の流動方向の下流部分であって、第２通路９２からの液体を受け、液体を切欠溝７０から本体ケーシング２外に向かって案内するように構成されている。
【０１３３】
第３通路９３は、図６に示すように、サイドカバー６６に一体として備えられている。第３通路９３は、サイドカバー６６の左面に配置されており、突部の一例としてのリブ１３０と、１対の第２案内壁１３１とを備えている。
【０１３４】
リブ１３０は、サイドカバー６６の左面において、通気口６９に対して前下方に配置されており、閉鎖壁１１８の右端部に対して右方に隣接配置されている。リブ１３０は、側面視において上下方向に沿って直線状に延び、サイドカバー６６の左面から左方に向かって突出する略板状を有している。なお、リブ１３０の左端部と、閉鎖壁１１８の下端部における右端部とは、僅かに間隔を空けて左右方向に向かい合っている。
【０１３５】
１対の第２案内壁１３１は、左方から見て、リブ１３０を挟むようにリブ１３０の前後両方に１つずつ配置されている。１対の第２案内壁１３１のそれぞれは、サイドカバー６６の左面から左方に向かって突出しており、前後方向に互いに間隔を空けて向い合っている。
【０１３６】
詳しくは、リブ１３０は、１対の第２案内壁１３１の上端部間に配置されており、リブ１３０と第２案内壁１３１の上端部とは、前後方向に間隔を空けて向い合っている。
【０１３７】
また、１対の第２案内壁１３１のそれぞれの下端部は、下方に向かうにつれて後方に向かうように傾斜しており、第２案内壁１３１の下端縁は、切欠溝７０の上方に間隔を空けて位置している。
５．液体の誘導
このようなプリンタ１において、ユーザが、図２Ａ、図２Ｂおよび図３に示すように、誤って本体ケーシング２の上方から、水などの液体をこぼすと、本体ケーシング２の上壁７１の上面に液体がかかる。
【０１３８】
すると、液体は、図３に示すように、用紙載置部７３の本体部７６と、第２トレイ部８５の傾斜部８２との間の隙間Ｃに浸入する場合がある。この場合、隙間Ｃに浸入した液体は、突出部７７を伝って流下した後、突出部７７の下端部から凹部９５の凹部底壁１０４の上面に向かって落下する。
【０１３９】
次いで、凹部底壁１０４に落下した液体は、図４に示すように、凹部底壁１０４の傾斜により、右下方に向かって流動する。つまり、凹部９５は、隙間Ｃから本体ケーシング２内に浸入する液体を受け、その液体を右下方に向かって案内する。
【０１４０】
そして、液体は、凹部９５の右端部に到達すると、液体排出口９９を介して、凹部９５外に排出される。このとき、凹部９５を流れる液体の流量が増加し、液面が連通溝１００の下端縁よりも上方に到達すると、液体は、図７に示すように、連通溝１００を介して貯留部９８の第１貯留部１０１内に流入して貯留される。
【０１４１】
また、液体排出口９９から凹部９５外に排出された液体は、図４に示すように、液体排出口９９と連通する延長部９６内に到達し、延長部底壁１０３の上面に沿って右下方に向かって流動する。その後、液体は、延長部９６の右端部から突起９７を伝って、第２通路９２の液受部１１１に向かって下方に落下する。
【０１４２】
すると、液受部１１１の受壁１１３は、突起９７を伝って落下する液体を受ける。そして、液受部１１１は、液体を通過口１１０に向かって右方に流動させる。
【０１４３】
その後、液体は、通過口１１０を左方から右方に通過する。これによって、第１通路９１から受け渡された液体は、液受部１１１および通過口１１０により、フレーム６５に対して、画像形成部４の反対に案内される。
【０１４４】
そして、通過口１１０を通過した液体は、図５に示すように、１対の第１案内壁１１７に案内されて、フレーム６５の右面に沿って、上方から下方に向かう流動方向Ｙに流動する。そして、液体は、案内部１１２の下端部である閉鎖壁１１８に到達すると、閉鎖壁１１８により、流動方向Ｙから右方に変更され、閉鎖壁１１８の底壁に沿って流動する。つまり、閉鎖壁１１８は、１対の第１案内壁１１７に対して流動方向Ｙの下流端部に配置され、１対の第１案内壁１１７の流動方向Ｙの下流端を連結している。
【０１４５】
その後、液体は、図６に示すように、閉鎖壁１１８の右端部に到達すると、閉鎖壁１１８からリブ１３０に受け渡される。そして、液体は、リブ１３０を伝って流下した後、１対の第２案内壁１３１に案内されて、サイドカバー６６の左面に沿って下方に向かって流動する。
【０１４６】
次いで、液体は、１対の第２案内壁１３１の下端部から排出され、切欠溝７０に向かって下方に流動し、切欠溝７０を介して本体ケーシング２外に排出される。
６．作用効果
（１）プリンタ１では、図３に示すように、第１通路９１が、第１トレイ部８１と第２トレイ部８５との隣接部分である隙間Ｃに対して下方に配置される凹部９５を有している。そのため、液体が上方から本体ケーシング２の上壁７１にかかり、隙間Ｃを介して、液体がケーシング本体５９内に浸入しても、その液体は凹部９５に受けられる。そして、液体は、図４に示すように、凹部９５によりフレーム６５に向かって案内された後、液体排出口９９を介しフレーム６５に向かって排出される。その後、液体排出口９９から排出された液体は、フレーム６５に配置される第２通路９２に受けられ、通過口１１０を介して、フレーム６５に対して、左方から右方に案内される。
【０１４７】
つまり、隙間Ｃからケーシング本体５９内に浸入した液体は、まず、第１通路９１の凹部９５に受けられ、フレーム６５に向かって流動した後、第２通路９２に受け渡され、通過口１１０を介して、フレーム６５に対して画像形成部４の反対に案内される。
【０１４８】
そのため、例え、隙間Ｃを介して、液体がケーシング本体５９内に浸入しても、画像形成部４などが液体により濡れることを確実に抑制できる。
（２）フレーム６５に対して右方に隣接配置されるサイドカバー６６は、図６に示すように、第３通路９３を備えている。そのため、第２通路９２に案内される液体は、図５および図６に示すように、通過口１１０を介して、フレーム６５に対して画像形成部４の反対に案内された後、第３通路９３に受け渡される。そして、第３通路９３は、第２通路９２から受けた液体を、ケーシング本体５９外に向かって案内する。
【０１４９】
その結果、隙間Ｃからケーシング本体５９内に浸入した液体を、第１通路９１、第２通路９２および第３通路９３を介して、ケーシング本体５９外に排出できる。よって、画像形成部４などが濡れることを確実に抑制できる。
（３）液体排出口９９から排出された液体は、図４に示すように、延長部９６によって、右方すなわちフレーム６５に向かって案内される。そのため、液体排出口９９から排出された液体を、フレーム６５に配置される第２通路９２に確実に受け渡すことができる。
（４）液体排出口９９から排出された液体は、図４に示すように、延長部９６を通過した後、突起９７を伝って、延長部９６から落下する。そのため、液体排出口９９から排出された液体を、第２通路９２に向かって確実に案内することができる。
（５）液受部１１１は、図４に示すように、突起９７に対して下方に配置されている。そのため、液受部１１１は、突起９７を伝って落下する液体を確実に受けることができる。そして、液受部１１１は、通過口１１０と連通しているので、受けた液体を通過口１１０に向かって確実に案内することができる。
（６）第２通路９２は、図５に示すように、１対の第１案内壁１１７を有している。そのため、通過口１１０を通過した液体は、フレーム６５の右面において、１対の第１案内壁１１７により所定の位置まで案内される。その後、液体は、１対の第１案内壁１１７の流動方向Ｙの下流端部を連結する閉鎖壁１１８により、液体の流動方向が変更され、第３通路９３に受け渡される。
【０１５０】
そのため、通過口１１０を通過した液体を、フレーム６５の右面において、確実に案内することができながら、案内部１１２から第３通路９３に液体を確実に受け渡すことができる。
（７）リブ１３０は、図６に示すように、案内部１１２と左右方向に向かい合う。そのため、案内部１１２により案内される液体は、リブ１３０を伝って、案内部１１２から第３通路９３に受け渡される。その後、液体は、１対の第２案内壁１３１により、サイドカバー６６の左面において、ケーシング本体５９外に向かって案内される。
【０１５１】
その結果、案内部１１２から第３通路９３に液体を安定して受け渡すことができながら、液体をケーシング本体５９外に向かって確実に案内できる。
（８）リブ１３０は、図６に示すように、閉鎖壁１１８の右端部に対して右方に隣接する。そのため、閉鎖壁１１８により流動方向が変更された液体は、リブ１３０を伝って、案内部１１２から第３通路９３により安定して受け渡される。そのため、案内部１１２から第３通路９３に液体をより安定して受け渡すことができる。
（９）プリンタ１は、図３に示すように、ダクト本体８６とファン８８とを備えている。そのため、ファン８８を駆動することにより、ダクト本体８６を介して、ケーシング本体５９内の空気をケーシング本体５９外に排気することができる。その結果、プリンタ１を効率的に放熱できる。
【０１５２】
また、ダクトユニット６４がダクト本体８６と第１通路９１とを一体に有しているので、ダクト本体８６と第１通路９１とが別部材である場合と比較して、部品点数の低減を図ることができる。
（１０）閉鎖壁１１８は、図５に示すように、ファン８８よりも下方に配置されている。そのため、閉鎖壁１１８により流動方向が変更された液体が、ファン８８の駆動による空気の流動の影響を受けることを抑制できる。その結果、閉鎖壁１１８から第３通路９３に液体を、より一層安定して受け渡すことができる。
（１１）排紙部５から排出される用紙Ｐを支持する排紙トレイ１１は、図３に示すように、画像形成部４に対して上方においてケーシング本体５９に支持されている。そのため、排紙部５から排出される用紙Ｐに対して容易にアクセスすることができる。
【０１５３】
また、排紙トレイ１１を構成する第１トレイ部８１が、ケーシング本体５９から離脱可能であるので、画像形成部４のメンテナンス時において、第１トレイ部８１をケーシング本体５９から離脱することにより、画像形成部４を円滑にメンテナンスできる。
【符号の説明】
【０１５４】
１      プリンタ
４      画像形成部
５      排紙部
１１    排紙トレイ
５９    ケーシング本体
６５    フレーム
６６    サイドカバー
７１    本体ケーシングの上壁
７７    案内部
８１    第１トレイ部
８５    第２トレイ部
８６    ダクト本体
８８    ファン
９０    液体通路
９１    第１通路
９２    第２通路
９３    第３通路
９５    凹部
９６    延長部
９７    突起
９９    液体排出口
１１０  通過口
１１１  液受部
１１２  案内部
１１７  第１案内壁
１１８  閉鎖壁
１３０  リブ
１３１  第２案内壁
Ｃ      隙間
Ｐ      用紙
Ｘ      排出方向Ｘ
Ｙ      流動方向Ｙ
【図１】
2015087654.tif 000003
【図２】
2015087654.tif 000004
【図３】
2015087654.tif 000005
【図４】
2015087654.tif 000006
【図５】
2015087654.tif 000007
【図６】
2015087654.tif 000008
【図７】
2015087654.tif 000009
【図８】
2015087654.tif 000010